(57)【要約】洪水防御組立体は、スチール又は他の剛性な材料から形成され且つボラード（６）上に摺動可能に取り付けられるよう適合されるスリーブ部（４）を有する、支持部材（２）を有する。ボラードは、洪水の影響を受けやすい水域に近接する適切な深さ適切な深さまで地面（８）中へと設置される。支持部材は、パネル部材（１６）が摺動的に取付け可能であるスロット（１４）を形成する、第１及び第２の支持パネルを有する。支持部材はまた、金属の管又は他の同様の強度を有する部材の形状における耐久部材（２０）を支持するよう複数のブラケット（１９）を与えられる。バットレス部材（２２）は、スリーブ部と支持部材のバックパネルとの間において配置される。ゴムシート（２４）は、パネル部材が地面と接触する点において地面に沿って取外し可能に置かれ得る。洪水の水（２６）の域が上昇する際、洪水の水の重量は、パネル部材を変形させ、パネル部材をゴムシート上へと、またスロットにおいて配置されるゴム封鎖部材へと下方向に押す。耐久部材は、パネル部材の最大たわみにおいてパネル部材を支持する。
2009504946.tif 000002
【特許請求の範囲】
【請求項１】
洪水防御組立体であって、
水域に近接して置かれるよう適合される、複数の支持部材と、
実質的に水の侵入を防ぐ防壁を形成するよう近接する支持部材の組の間において配置されるよう適合される、複数のパネル部材と、
を有し、
前記支持部材は、水平に対して鋭角において前記パネル部材を保持するよう適合され、少なくとも１つの前記パネル部材上において作用する水の重量は、前記パネル部材と、少なくとも１つの対応する支持部材と、前記組立体が置かれる表面との間において封鎖の形成を支援する、
洪水防御組立体。
【請求項２】
少なくとも１つの前記パネル部材は、可撓性である、
請求項１記載の組立体。
【請求項３】
少なくとも１つの前記パネル部材は、合板から形成される、
請求項１又は２記載の組立体。
【請求項４】
前記鋭角は、１５°乃至３０°である、
請求項１乃至３のうちいずれか一項記載の組立体。
【請求項５】
複数の封鎖部材を更に有し、
該複数の封鎖部材は、少なくとも１つの前記支持部材と、少なくとも１つの前記パネル部材と、前記組立体が置かれる表面との間において配置されるよう適合される、
請求項１又は４のうちいずれか一項記載の組立体。
【請求項６】
少なくとも１つの前記封鎖部材は、少なくとも１つの前記パネル部材上で一体的に形成される、
請求項５記載の組立体。
【請求項７】
少なくとも１つの前記封鎖部材は、独立気泡ゴムから形成される、
請求項５又は６記載の組立体。
【請求項８】
複数の耐久部材を更に有し、
前記パネル部材を補強するよう、少なくとも１つの前記支持部材及び／又は少なくとも１つの前記パネル部材に対して取り付けられるよう適合される、
請求項１乃至７のうちいずれか一項記載の組立体。
【請求項９】
少なくとも１つの支持部材は、水域に近接して配置されるボラードにわたって取外し可能に配置されるよう適合されるスリーブ部材を有し、
該スリーブ部材は、パネル部材と摺動可能に係合するよう適合される少なくとも１つの凹部を有する、
請求項１乃至８のうちいずれか一項記載の組立体。
【請求項１０】
使用中に水域に近接して配置される少なくとも１つのボラードを更に有する、
請求項９記載の組立体。
【請求項１１】
前記スリーブ部材は、複数のリングを有する、
請求項９又は１０記載の組立体。
【請求項１２】
少なくとも１つの前記支持部材は、前記支持部材から前方方向における前記パネル部材の取外しを防ぐよう適合される少なくとも１つのフランジを更に有する、
請求項９乃至１１のうちいずれか一項記載の組立体。
【請求項１３】
前記支持部材に対して前記パネル部材をウェッジ留めするよう前記パネル部材と少なくとも１つのフランジとの間において挿入されるよう適合される、少なくとも１つのウェッジ部材を更に有する、
請求項１２記載の組立体。
【請求項１４】
少なくとも１つの前記支持部材は、前記支持部材から前方方向における前記パネル部材の取外しを防ぐよう適合される複数のピンを更に有する、
請求項９乃至１１のうちいずれか一項記載の組立体。
【請求項１５】
前記支持部材に対して前記パネル部材をウェッジ留めするよう前記パネル部材と少なくとも１つのピンとの間において挿入されるよう適合される、少なくとも１つのウェッジ部材を更に有する、
請求項１４記載の組立体。
【請求項１６】
少なくとも１つの前記ピン上において取り付けられるよう適合される、少なくとも１つの固定ブラケットを更に有し、
該固定ブラケットは、少なくとも１つの前記パネル部材を前記対応する凹部に対してバイアスするよう適合されるバイアス手段を有する、
請求項１４又は１５記載の組立体。
【請求項１７】
前記バイアス手段は、前記固定ブラケットにおいて形成される少なくとも１つの対応するねじ穴において取り付けられる少なくとも１つのボルトを有する、
請求項１６記載の組立体。
【請求項１８】
少なくとも１つの支持部材は、水域に近接して置かれるよう適合され且つパネル部材と摺動可能に係合するよう適合される少なくとも１つの凹部を有する、コンクリートブロックを有する、
請求項１乃至１７のうちいずれか一項記載の組立体。
【請求項１９】
少なくとも１つの前記パネル部材に対して近接する覆いを形成するよう少なくとも１つの支持部材に対して接続されるよう適合される、少なくとも１つの防壁部材と、
該防壁部材と前記パネル部材との間において封鎖を形成するよう前記覆いを満たす、顆粒状物質と、
を更に有する、
請求項１乃至１８のうちいずれか一項記載の組立体。
【請求項２０】
実質的に添付の図面を参照して記載される、洪水防御組立体。
【発明の詳細な説明】
【技術分野】
【０００１】
本発明は、洪水防御組立体に係り、より特には、排他的ではなく、洪水の影響を受けやすい水域に近接して配置されるよう適合される組立体に係る。
【背景技術】
【０００２】
恒久的、一時的、又は解体可能な洪水防御組立体は、洪水の影響を受けやすい地所を保護するよう求められる。洪水防御組立体は、地中へと固定され得る支持柱、及び、洪水防御防壁を形成するよう支持柱間において適合されるパネルを有し得る。
【０００３】
先行技術によるこの種類の洪水防御組立体は、高価な基礎設備を洪水の影響を受けやすい水域に近接して置かなければならない、という欠点を有する。例えば、１つのシステムにおいて、金属のアンカー板は、コンクリートの枕木へと恒久的に打設されなければならず、該アンカー板は、金属支持柱を支持するよう適合される。支持柱がアンカー板に対してボルト留めされる際、複数のダムビーム（ｄａｍ  ｂｅａｍｓ）は、該柱間において適合され、プレスツールを有して押圧される。このシステムが有する他の問題は、大変精密な許容差が有されるため、該システムは、平坦な水平表面上でのみ作動し、枕木基礎を必要とする、ことである。
【発明の開示】
【発明が解決しようとする課題】
【０００４】
本発明の望ましい実施例は、先行技術の不利点を克服する、ことを目的とする。
【課題を解決するための手段】
【０００５】
本発明によれば、洪水防御組立体が与えられる。当該洪水防御組立体は、水域に近接して置かれるよう適合される複数の支持部材、及び、実質的に水の侵入を防ぐ防壁を形成するよう近接する支持部材の組の間において配置されるよう適合される複数のパネル部材、を有する。該支持部材は、水平に対して鋭角においてパネル部材を保持するよう適合され、少なくとも１つのパネル部材上において作用する水の重量は、パネル部材と、少なくとも１つの対応する支持部材と、組立体が置かれる表面との間において封鎖の形成を支援する。
【０００６】
水平に対して鋭角において複数のパネル部材を保持するよう適合される複数の支持部材を与え、パネルによって保持される水の重量が、パネル部材と、少なくとも１つの対応する支持部材と、組立体が置かれる表面との間における封鎖の形成を支援するようにすることによって、洪水の水の重量は、封鎖を形成し、且つ水が洪水防御組立体を越えて侵入することを防ぐよう、パネルを支持部及び地面へと押すよう利用される、という利点を与える。鋭角においてパネル部材を保持し、且つ封鎖の形成を助けるよう水の重量を利用する結果として、洪水防御組立体の設計許容差（ｄｅｓｉｇｎ  ｔｏｌｅｒａｎｃｅ）は、先行技術による洪水防御組立体の設計許容差より小さくなり得、洪水防御組立体の製造及び稼働のコストが低減される。
【０００７】
望ましい一実施例では、少なくとも１つのパネル部材は、可撓性である。
【０００８】
このことは、パネル部材が封鎖位置を取るよう曲がり得るため、封鎖を形成する効率性を更に高める、という利点を与える。特に、このことは、可撓性のパネルが平らではない地面の形状に応じるため、洪水防御組立体は、平らではない地面上で使用され得る、という利点を与える。このことはまた、パネルが先行技術によるパネルよりも薄くなり得る、という利点を与える。
【０００９】
少なくとも１つのパネル部材は、合板から形成される。
【００１０】
このことは、パネルが安価で容易に入手可能な材料から形成され得る、という利点を与える。
【００１１】
前出の鋭角とは、１５°乃至３０°であり得る。
【００１２】
パネル部材と地面の表面との間に形成される角度１５°乃至３０°は、封鎖を形成するよう水の重量を利用することにおいて最も効率的である、ことが分かっている。
【００１３】
望ましい一実施例では、組立体は、複数の封鎖部材を更に有する。該複数の封鎖部材は、少なくとも１つの支持部材と、少なくとも１つのパネル部材と、組立体が置かれる表面との間において、あるいは、少なくとも１つの支持部材と、組立体が置かれる表面との間において配置されるよう、適合される。
【００１４】
このことは、組立体の水貯留（ｗａｔｅｒ  ｒｅｔａｉｎｉｎｇ）特性を更に高める、という利点を与える。
【００１５】
少なくとも１つの封鎖部材は、少なくとも１つのパネル部材上において一体的に形成され得る。
【００１６】
少なくとも１つの封鎖部材は、独立気泡ゴムから形成され得る。
【００１７】
望ましい一実施例では、組立体は、複数の耐久部材（ｒｅｓｔｒａｉｎｔ  ｍｅｍｂｅｒ）を更に有する。該耐久部材は、パネル部材を補強するよう、少なくとも１つの支持部材及び／又は少なくとも１つのパネル部材に対して取り付けられるよう、適合される。
【００１８】
このことは、特には、パネル部材が屈曲し得る範囲を制限するよう、また、パネル部材が水の波動からの衝撃又は水系の物質からの衝撃を吸収することを支援するよう、パネル部材の強度を更に強化する、という利点を与える。
【００１９】
少なくとも１つの支持部材は、水域に近接して配置されるボラードにわたって取外し可能に配置されるよう適合される、スリーブ部材を有する。該スリーブ部材は、パネル部材と摺動可能に係合するよう適合される、少なくとも１つの凹部を有する。
【００２０】
ボラードにわたって取外し可能に配置され得、パネル部材と摺動可能に係合するよう適合される少なくとも１つの凹部を有する、スリーブ部材を与えることによって、支持ボラードは、洪水の影響を受けやすい水域に近接する場所に置きっぱなしにされ得、洪水の危険がある際に、支持部材は、支持部材の容易な取付け及び取外しを与えるようボラードにわたって単純に降ろされ得る、という利点が与えられる。また、スリーブ部材は、パネル部材と摺動可能に係合するよう適合される少なくとも１つの凹部を有する。このことは、パネル部材が容易に適所へと摺動され得、また、スリーブ部材を直立させるよう、あるいはパネル部材をスリーブ部材に接合するよう専用のツールが必要とされない、という利点を与える。
【００２１】
組立体は、使用中に水域に近接して配置される、少なくとも１つのボラードを更に有し得る。
【００２２】
スリーブ部材は、複数のリングを有し得る。
【００２３】
このことは、支持部材の重量及びコストを低減する、という利点を与える。
【００２４】
少なくとも１つの支持部材は、支持部材から前方方向におけるパネル部材の取外しを防ぐよう適合される、少なくとも１つのフランジを更に有し得る。
【００２５】
組立体は、支持部材に対してパネル部材をウェッジ留めするようパネル部材と少なくとも１つのフランジとの間において挿入されるよう適合される、少なくとも１つのウェッジ部材を更に有し得る。
【００２６】
このことは、パネルと支持部材との間における封鎖の強度を高める、という利点を与える。
【００２７】
少なくとも１つの支持部材は、支持部材から前方方向におけるパネル部材の取外しを防ぐよう適合される、複数のピンを更に有し得る。
【００２８】
組立体は、支持部材に対してパネル部材をウェッジ留めするようパネル部材と少なくとも１つのピンとの間において挿入されるよう適合される、少なくとも１つのウェッジ部材を更に有し得る。
【００２９】
このことは、パネルと支持部材との間における封鎖の強度を高める、という利点を与える。
【００３０】
組立体は、少なくとも１つのピン上において取り付けられるよう適合される、少なくとも１つの固定ブラケットを更に有し得る。該固定ブラケットは、少なくとも１つのパネル部材を対応する凹部に対してバイアスするよう適合される、バイアス手段を有する。
【００３１】
このことは、パネルとパネルが保持される凹部との間における封鎖の強度を高める、という利点を与える。
【００３２】
該バイアス手段は、固定ブラケットにおいて形成される少なくとも１つの対応するねじ穴において取り付けられる少なくとも１つのボルトを有し得る。
【００３３】
少なくとも１つの支持部材は、水域に近接して置かれるよう適合され且つパネル部材と摺動可能に係合するよう適合される少なくとも１つの凹部を有する、コンクリートブロックを有し得る。
【００３４】
このことは、洪水防御組立体が、洪水の危険性がない際に、水域に近接したところから完全に取り外され得る、という利点を有する。コンクリートブロックの重量により、ボラード等である他の基礎設備は、コンクリートブロックを支持するよう要求されない。
【００３５】
組立体は：
少なくとも１つのパネル部材に対して近接する覆い（ｅｎｃｌｏｓｕｒｅ）を形成するよう少なくとも１つの支持部材に対して接続されるよう適合される、少なくとも１つの防壁部材、及び、
防壁部材とパネル部材との間において封鎖を形成するよう覆いを満たす、顆粒状物質、
を更に有し得る。
【００３６】
このことは、パネルが平らではない地面上に配置される際に特に有用である封鎖を、パネル部材の前方において地面に沿って与える、という利点を与える。
【発明を実施するための最良の形態】
【００３７】
本発明の望ましい実施例はこれより、添付の図面を参照して、制限的な意図ではなく単なる例証として記載される。
【００３８】
図１乃至６を参照すると、洪水防御組立体の第１の実施例は、スチール又は他の剛性な材料から形成され、且つボラード６上において摺動可能に取り付けられるよう適合されるスリーブ部４を有する、支持部材２を有する。ボラード６は、洪水の影響を受け易い水域に近接して、１メートル等である適切な深さにおいて地面８へと設置される。支持部材２は、スロット１４を形成する第１及び第２の支持パネル１０及び１２を有し、合板又は同様の特性を有する材料から形成されるパネル部材１６は、該スロットへと摺動可能に取り付けされ得る。
【００３９】
支持部材２はまた、バックパネル１８を備えられ、該バックパネルに対して、金属の管又は同様の強度を有する他の部材の形状における複数の耐久部材２０がブラケット１９に取り付けられ得る。一組のバットレス（控え壁、ｂｕｔｔｒｅｓｓ）部材２２は、組立体に対して支持を与えるよう、スリーブ部４とバックパネル１９との間において配置される。ゴムシート２４又は同様の特性を有する材料のシートは、パネル部材１６が地面８と接触する点において地面８に沿って取外し可能に置かれ得る。ゴムシート２４は、ゴムシート２４によって形成される封鎖の強度を高めるよう、シート２４が圧力を受ける際に（即ち水及びパネル部材１６の重量によって）地面と接触する力を高めるようシートの下方側上に形成される、溝（図示せず）を有し得る。
【００４０】
図２ｂ及び４ｂを参照すると、独立気泡ゴム材料又は同様の特性を有する材料から形成される封鎖部材４０は、水の侵入に対する封鎖を与えるよう、パネル部材１６と第２の支持パネル１２との間において置かれ得る。ウェッジ部材（図示せず）は、封鎖部材４０に対してパネル部材１６を押すよう、第１の支持パネル１０とパネル部材１６との間に置かれ得る。
【００４１】
図５及び６を参照すると、洪水防御組立体を直立させるよう、複数の支持部材２は、洪水の影響を受けやすい水域に沿って恒久的に適所に置かれるボラード６上に取り付けられる。支持部材２は、最大２名によって十分に運搬されるよう軽量に設計され、機械を必要とすることなくボラード６にわたって降ろされ得る。続いてパネル部材１６は、再度、揚重機械を必要とすることなく最大２名によってスロット１４へと摺動され得る。支持部材２及びパネル１６はいずれも、適所に取り付けられるようナット及びボルト等である固定具を必要としない、ことは留意されるべきである。続いて耐久部材２０は、パネル部材１６を補強するよう、支持部材２上に形成されるブラケット１９に対して取り付けられ得る。ゴムシート２４はまた、パネル部材１５の下方に置かれ得る。更なる複数のゴム封鎖（図示せず）は、パネル部材１５のエッジ部とスロット１４との間の接点において置かれる。
【００４２】
水域２６が上昇する際、洪水の水２６の重量は、パネル部材１６を変形させ、パネル部材１６をゴムシート２４上へと、またスロット１４において配置されるゴム封鎖部材（図示せず）へと、下方に押される。耐久部材２０は、パネル部材１６の最大たわみ（ｄｅｆｌｅｃｔｉｏｎ）においてパネル部材１６を支持する。したがって、洪水の水２６の重量はパネル部材１６を夫々の封鎖へと押し、耐久部材２０はパネル部材が極度に屈曲することを防ぐ、ことが分かり得る。パネル部材１６の変形特性、及びゴム封鎖に対してパネル部材１６を押す洪水の水２６の重量の利用により、この洪水防御組立体は、洪水の水２６の侵入に対する封鎖を形成するよう精密許容差が必要とされないため、平らではない地面上で使用され得、また、比較的低コストで製造され得る。
【００４３】
システムは、地面とパネル部材との間における１５°乃至３０°である鋭角α（図１）において最良に作動することが分かっているが、いかなる鋭角でも使用され得る。
【００４４】
図７ａ及び７ｂを参照すると、洪水防御組立体の第２の実施例は、植物や木が植えられ得るプランタ２９、及びコンクリートブロック２８又はごみ箱等である他の街路備品を有する。コンクリートブロック２８及びプランタ２９は、横方向に対向する角度のあるスロット３０の組を有し、該スロットの組は、夫々のパネル部材３２を摺動可能に受けるよう適合される。コンクリートブロック２８又はプランタ２９は、それらの重量により、保持するためのボラードを必要とせず、洪水の影響を受けやすい水域に近接するゴムシート３４上において一列に取り付けられ得る。
【００４５】
耐久部材３６は、パネル部材３２の後方においてブラケット３８上に取付け可能であり、ゴム封鎖４０はまた、パネル部材３２がスロット３０と接触する点の間におけるスロット３０において置かれ得る。
【００４６】
図８を参照すると、洪水の水４２は、パネル部材３２を変形させ、パネル部材３２をゴム封鎖３４及び４０へと押す。耐久部材３６は、パネル部材３２の後方を支持し、封鎖が形成される。コンクリートブロック２８の重量は、洪水の水４２がコンクリートブロック２８を動かし得ないよう、選択される。本発明のこの実施例の全ての構成部品は、揚重設備が必要とされるコンクリートブロック２８又はプランタ２９を除いて、２名によって運搬され得るよう設計される。
【００４７】
洪水防御組立体の第３の実施例は、図１０乃至１１ｂにおいて示される。図１乃至６の実施例に共通する部分は、１００を足された同様の参照符号によって示される。
【００４８】
支持部材１０２は、バットレス部材１２２によってバッキング部材１１８に対して接続される支持リング１５０を有する。リング１５０は、地面において配置されるボラード（図示せず）にわたって置かれ得る。バッキング部材１１８は、複数の耐久部材開口１５２を有し、該開口を介して耐久部材１２０が摺動可能に取り付けられ得る。複数のピン１５４は、支持部材１０２に対して取り付けられる。パネル部材１１６は、ピン１５４と支持パネル１１２との間において摺動可能に受けられ得る。独立気泡ゴム又は同様の特性を有する材料から形成される封鎖部材１４０は、パネル部材１６と支持パネル１１２との間において配置される。ウェッジ部材１７０は、パネル部材１１６を封鎖１４０へと押すようピン１５４とパネル部材１１６との間において配置される。リング１５０及びピン１５４の使用の結果として、図１０乃至１１ｂの実施例は、図１乃至９中の実施例より軽量である。
【００４９】
図１２ａ及び１２ｂを参照すると、固定ブラケット２００は、取付け管２０２及びベアリング板２０４を有する。ねじ穴２０６は、ベアリング板２０４において形成される。取付け管２０２は、支持部材１０２のピン１５４上に摺動可能に取り付けられ得る（図１０乃至１１ｂ）。一組のねじ込みボルト２０８は、ねじ穴２０６へと挿入され得、封鎖２４０に対するパネル部材２１６に対して締め付けられ、したがって封鎖の強度が高められる。
【００５０】
図１３を参照すると、足場管（ｓｃａｆｆｏｌｄｉｎｇ  ｔｕｂｉｎｇ）等である防壁部材３００は、パネル部材３１６と防壁部材３００との間において覆い（ｅｎｃｌｏｓｕｒｅ）３０４を形成するよう、係留綱（係留鎖、ｔｅｔｈｅｒｓ）３０２によって支持部材１０２の最下ピン１５４に対して接続され得る。ゴムシート１２４は、地面において封鎖を形成するようパネル部材３１６の下方に置かれる。続いて覆い３０４は、組立体の基部における封鎖を強化するよう、砂又は他の顆粒状材料３０６で満たされ得る。このことは、平らではない地面において封鎖を形成するよう有用である。ゴムシート１２４は、組立体の封鎖特性を高めるよう下方において下流材料３０６が保持される１つのエッジ部においてリップ又は面取りした面（ｃｈａｍｆｅｒ）（図示せず）を有し得る。
【００５１】
当業者は、上述の実施例が制限的ではなく単に例証として記載されてきたこと、並びに、添付の図面によって定義される本発明の範囲から逸脱することなく多種の代替案及び修正が可能であることを理解する。例えば、ゴム封鎖は、各実施例においてパネル部材と一体的に形成され得るか、あるいは、ゴム又は同様の材料の個別の断片から形成され得る。
【図面の簡単な説明】
【００５２】
【図１】本発明の支持部材の第１の実施例の側面図である。
【図２ａ】図１中の線ａ−ａに沿った断面図である。
【図２ｂ】封鎖部材を組み込まれた図２ａに対応する断面図である。
【図３】図１中の線ｂ−ｂに沿った断面図である。
【図４ａ】図１中の線ｃ−ｃに沿った断面図である。
【図４ｂ】封鎖部材を組み込まれた図４ａに対応する断面図である。
【図５】本発明の洪水防御組立体の第１の実施例の断面図である。
【図６】図５中の洪水防御組立体の後方図である。
【図７ａ】プランタの形状における本発明の支持部材の第２の実施例の斜視図である。
【図７ｂ】コンクリートブロックの形状における本発明の支持部材の第２の実施例の斜視図である。
【図８】本発明の洪水防御組立体の第２の実施例の断面図である。
【図９ａ】図８中の洪水防御組立体の後方図である。
【図９ｂ】図８中の洪水防御組立体の平面図である。
【図１０ａ】本発明の支持部材の第３の実施例の斜視図である。
【図１０ｂ】洪水防御組立体へと組み込まれる図１０ａ中の支持部材の上方からの断面図である。
【図１１ａ】耐久部材を有して組み立てられる図１０ａ及び１０ｂ中の支持部材の後方からの斜視図である。
【図１１ｂ】耐久部材を有して組み立てられる図１０ａ及び１０ｂ中の支持部材の前方からの斜視図である。
【図１２ａ】図１０中の支持部材に対して取り付ける固定ブラケットの斜視図である。
【図１２ｂ】図１０ｂ中の支持部材に対して取り付けられる図１２ａ中の固定ブラケットの断面図である。
【図１３】地面封鎖組立体を有する本発明の洪水防御組立体の第３の実施例の断面図である。
【図１】
2009504946.tif 000003
【図２ａ】
2009504946.tif 000004
【図２ｂ】
2009504946.tif 000005
【図３】
2009504946.tif 000006
【図４ａ】
2009504946.tif 000007
【図４ｂ】
2009504946.tif 000008
【図５】
2009504946.tif 000009
【図６】
2009504946.tif 000010
【図７ａ】
2009504946.tif 000011
【図７ｂ】
2009504946.tif 000012
【図８】
2009504946.tif 000013
【図９ａ】
2009504946.tif 000014
【図９ｂ】
2009504946.tif 000015
【図１０ａ】
2009504946.tif 000016
【図１０ｂ】
2009504946.tif 000017
【図１１ａ】
2009504946.tif 000018
【図１１ｂ】
2009504946.tif 000019
【図１２ａ】
2009504946.tif 000020
【図１２ｂ】
2009504946.tif 000021
【図１３】
2009504946.tif 000022
【国際調査報告】
2009504946.tif 000023
2009504946.tif 000024
2009504946.tif 000025
2009504946.tif 000026